(57)【要約】【課題】蓋付断熱容器において、負圧解消機構を断熱機能の低下を招くことなく簡単な構造で組み込む。【解決手段】断熱容器体１と、容器体１の開口部に挿入する断熱栓部３、及び断熱栓部３の下方外周に容器体１の開口部１３を液封するシール部４、及び容器体の開口部１３へ装着部（ネジ部２４）を備えた蓋体で構成され、断熱栓部３の底面適宜箇所に外気導入空間３５及び負圧解消弁（弁体５）を設けると共に、前記外気導入空間３５と断熱栓部３の側面におけるシール部上方箇所とを連通する通気路３８を設けてなる。【選択図】図２
2016169042.tif 000002
【特許請求の範囲】
【請求項１】
断熱容器体と、容器体の開口部に挿入する断熱栓部、及び断熱栓部下方外周に容器体の開口部を液封するシール部、及び容器体開口部へ装着部を備えた蓋体で構成され、断熱栓部底面適宜箇所に外気導入空間及び負圧解消弁を設けると共に、前記外気導入空間と断熱栓部側面におけるシール部上方箇所とを連通する通気路を設けてなることを特徴とする蓋付断熱容器。
【請求項２】
外気導入空間及び負圧解消弁を断熱栓部の側面近傍に設けてなる請求項１記載の蓋付断熱容器。
【請求項３】
断熱栓部の下端外周にシール装着部を形成し、シール部を着脱自在に設けると共に、シール部の装着で閉塞される横穴空間を形成して外気導入空間とし、同空間の上面の未閉塞部分部を通気路に形成してなる請求項２記載の蓋付断熱容器。
【請求項４】
蓋体を、容器体に螺合装着する装着部を備えた蓋体外部に、断熱栓部を回転自在に装着してなる請求項１乃至３記載の何れかの蓋付断熱容器。
【発明の詳細な説明】
【技術分野】
【０００１】
本発明は、断熱構造を備えて保温機能を有する蓋付断熱容器に関するものである。
【背景技術】
【０００２】
断熱構造を備えた蓋付容器は、真空二重構造等を採用した断熱容器体に、断熱構造の蓋体を装着して構成される。特に暖かい食品・飲料を収納した後、その温度低下で内部が負圧となり、蓋体の開放操作がし難くなるという問題があり、従前より負圧を解消する弁機構を蓋体に設けている。
【０００３】
例えば特許文献１には、蓋体の断熱部材（断熱栓部）を貫通する通気孔を設け、当該通気孔に所定圧で開閉する開放弁を設けている蓋付容器が開示されている。
【０００４】
また特許文献２には、断熱部材を備えた蓋体本体の下方にパッキン装着部材を別部材とし、前記パッキン装着部材と蓋体本体との間に通気空間を形成し、パッキン装着部材に通気孔と弁体を設けている。
【０００５】
また特許文献３には、特に断熱栓部を中空栓部とし、中空栓部の底面に負圧解消の通気機構を設けている。
【先行技術文献】
【特許文献】
【０００６】
【特許文献１】実公昭３４−９３９１号公報。
【特許文献２】特開２０１３−２２０１７３号公報図９。
【特許文献３】特開２０１１−９８７６１号公報。
【発明の概要】
【発明が解決しようとする課題】
【０００７】
特許文献１に開示されているように、容器体の開口部に挿入される断熱栓部を貫通する通気孔を形成した構造では、断熱機能の低下を招いてしまう。また特許文献２に開示されているように、負圧解消の目的のために、特に蓋体本体とパッキン装着部材の二重構造を採用すると、構造の煩雑さからコストアップとなる。更に特許文献３に開示されている中空栓体を採用すると、当該中空部分に蒸気が溜まり、結果的にカビや汚れの原因となり、分離して洗浄をすることが必要となる。
【０００８】
そこで本発明は、断熱機能を損なわず簡易な構造で負圧を解消する弁機構を備えた蓋付容器を提案した。
【課題を解決するための手段】
【０００９】
本発明（請求項１）に係る蓋付断熱容器は、断熱容器体と、容器体の開口部に挿入する断熱栓部、及び断熱栓部下方外周に容器体の開口部を液封するシール部、及び容器体開口部へ装着部を備えた蓋体で構成され、断熱栓部底面適宜箇所に外気導入空間及び負圧解消弁を設けると共に、前記外気導入空間と断熱栓部側面におけるシール部上方箇所とを連通する通気路を設けてなることを特徴とするものである。
【００１０】
而して前記容器は、熱い食品（例えばスープ等）を収納して蓋体を装着すると、食品は保温状態で収納されているが、少し冷めると容器体内が負圧状態となる。この負圧状態のままでは蓋体が吸着状態となり、取外しが困難となる。そこで所定圧以上の負圧状態に至ると、通気路、外気導入空間及び負圧解消弁を通過して、外気（蓋体内方空間に存在する空気）が導入され負圧状態が解消される。
【００１１】
また本発明（請求項２）に係る蓋付断熱容器は、外気導入空間及び負圧解消弁を断熱栓部の側面近傍に設けてなるものであり、更に本発明（請求項３）に係る蓋付断熱容器は、前記の容器において、断熱栓部の下端外周にシール装着部を形成し、シール部を着脱自在に設けると共に、シール部の装着で閉塞される横穴空間を形成して外気導入空間とし、同空間の上面の未閉塞部分部を通気路に形成してなるものである。
【００１２】
従って負圧解消機構（外気導入空間、通気路、負圧解消弁）を断熱栓部の偏心位置に小空間で形成することができ、断熱機能の低下を招くことなく、またシール部を取り外すと、小空間が開口してその洗浄も容易になるものである。
【００１３】
更に本発明（請求項４）に係る蓋付断熱容器は、特に蓋体を、容器体に螺合装着する装着部を備えた蓋体外部に、断熱栓部を回転自在に装着してなるもので、蓋体の密装着で容器体内の負圧が解消されない場合でも、容器体の開口部にシール部を介して吸着している断熱栓部をそのままにして、蓋体外部のみを僅かに回動させることで蓋体内に外気が侵入し、直ぐに負圧解消がなされ、断熱栓部の吸着が解消される。
【発明の効果】
【００１４】
本発明の構成は上記のとおり、負圧解消機構を断熱栓部の底面部分に直接形成したことによって、断熱機能の低下をできるだけ少なくし、且つ簡易な構造で負圧解消を実現したものである。
【図面の簡単な説明】
【００１５】
【図１】本発明の実施形態の全体斜視図。
【図２】同断面図。
【図３】同蓋体の分解断面図。
【図４】同斜視図。
【図５】同別例の全体斜視図。
【図６】同断面図。
【発明を実施するための形態】
【００１６】
次に本発明の実施形態について説明する。図１乃至４は本発明の第一の実施形態を示したもので、この蓋付断熱容器は、容器体１と、蓋体で構成され、容器体１は、従前の真空断熱二重構造と同様に、外容器部１１と内容器部１２で形成され、開口部１３の外周面に螺条１４を設け、内部に受け突条１５を設け、開口縁にカバー部１６を装着しているものである。
【００１７】
蓋体は、蓋体外部２、断熱栓部３、シール部４、弁体５で構成され、蓋体外部２は、頂面２１と周面２２を備えたキャップ形状で、頂面２１の裏面には、係止突起を設けた係止筒部２３を垂設し、周面２２の内面には容器体１の螺条１４に螺合するネジ部２４を形成してなる。
【００１８】
断熱栓部３は、係止筒部２３に係止装着される容器形状の栓体外面部３１と栓体外面部３１内に充填される断熱材３２で構成され、栓体外面部３１の底面外周には、突条形状のシール装着部３３と、シール装着部３３の上方外周に庇状のシール受部３４を設け、シール装着部３３とシール受部３４の間に適宜深さ（側面から）の横穴空間を形成して外気導入空間３５を設ける。
【００１９】
前記外気導入空間３５の底面には、後述する弁体５に対応する軸孔３６と通気孔３７を穿設し、且つ外気導入空間３５の内上面には、装着されたシール部４の上面より高い位置となる通気路３８を設けたものである。
【００２０】
シール部４は、容器体１の受突条１５に密着する断面逆Ｕ字形状で、背面に装着溝４１を設け、断熱栓部３に装着するものである。
【００２１】
弁体５は、適宜な柔軟性を備えた樹脂で逆キノコ形状に形成したもので、軸部５１と傘状部５２を備え、軸部５１を軸孔３６に嵌合装着し、傘状部５２で通気孔３７を塞ぐ。
【００２２】
而して前記の蓋付断熱容器は、容器体１内に熱いスープ等を収納して蓋体を螺合装着すると、シール部４が受突条１５と密着し、弁体５で通気孔３７を塞ぎ、内容物（スープ）が零れ出ないようにしながら保温する。しかし内容物が冷めると、容器体内が負圧状態となる。
【００２３】
蓋体を開ける際に、容器体１内の負圧状態は蓋体が吸引状態になることで、その取り外しの抵抗となる。しかしシール部４の上面とシール受部３４の間隙に形成された通気路３８で外気導入空間３５と蓋体の内部空間が連通しているので、蓋体の螺合装着が密封状態でなければ、容器体１内の負圧によって弁体５の傘状部５２が押下げられ、通気孔３７が開口して外気が導入される。特に蓋体の螺合装着が密封状態であった場合でも、蓋体外部２を回転すると、蓋体外部２のみが僅かに上昇し、蓋体の内部空間に外気が侵入し、容器体１内の負圧を解消する。
【００２４】
また図５，６は本発明の第二の実施形態で蓋体の装着構造が相違するもので、容器体１開口部１３の外周に螺条１４に替えて掛け止め突部１７を備えた掛け止めリング１８を装着し、蓋体外部２の所定位置に回動フック２５を設けたものである。図示している番号は第一実施形態と同一構造を示すものでその説明は省略する。
【００２５】
而して前記第二実施形態の蓋付断熱容器も、蓋体装着時に蓋体内が密封状態でなければ、外気の僅かな侵入で、容器体１内の負圧状態が解消され、蓋体装着で蓋体内が密封状態であった場合でも、蓋体の掛け止めを外し、蓋体外部２を僅かに上昇させると、容易に蓋体内の密封が解消し、同時に容器体１の負圧状態も解消するものである。
【符号の説明】
【００２６】
１      容器体
１１    外容器部
１２    内容器部
１３    開口部
１４    螺条
１５    受け突条
１６    カバー部
１７    掛け止め突部
１８    掛け止めリング
２      蓋体外部
２１    頂面
２２    周面
２３    係止筒部
２４    ネジ部
２５    回動フック
３      断熱栓部
３１    栓体外面部
３２    断熱材
３３    シール装着部
３４    シール受部
３５    外気導入空間
３６    軸孔
３７    通気孔
３８    通気路
４      シール部
４１    装着溝
５      弁体
５１    軸部
５２    傘状部
【図１】
2016169042.tif 000003
【図２】
2016169042.tif 000004
【図３】
2016169042.tif 000005
【図４】
2016169042.tif 000006
【図５】
2016169042.tif 000007
【図６】
2016169042.tif 000008